(57)【特許請求の範囲】
【請求項１】
タッチパネルと、
前記タッチパネルの背面と対向して配置され、いずれかの外形縁部が該外形縁部と対応する前記タッチパネルの外形縁部よりも内側に位置する表示器と、
前記タッチパネルの背面から前記タッチパネルにおける前記外形縁部の側に延びる延出部と、前記延出部の先端部から該延出部に対する前記タッチパネルの背面と反対側に折り返された折返し部とを有する配線部材と、
前記折返し部に接続され、前記タッチパネルの前記外形縁部と前記表示器の前記外形縁部との間に配置された制御基板と、
を備え、
前記配線部材は、前記折返し部に前記制御基板が接続された状態において、前記タッチパネルとの接続部を支点として前記タッチパネルの背面と離間する方向に可動する、
電子機器。
【請求項２】
前記制御基板は、前記表示器の厚さ方向の範囲内に収まる、
請求項１に記載の電子機器。
【請求項３】
前記タッチパネル及び前記表示器を支持する筐体フレームをさらに備え、
前記制御基板は、前記配線部材に対して前記タッチパネルの前記外形縁部が延びる方向に延長された延長部を有し、
前記筐体フレームは、前記延長部と前記タッチパネルとの間に挿入されて前記タッチパネルの背面に接着された接着部を有する、
請求項１又は請求項２に記載の電子機器。
【請求項４】
前記延長部は、前記接着部に接着されている、
請求項３に記載の電子機器。
【請求項５】
前記筐体フレームは、前記タッチパネルの前記外形縁部に沿って延びると共に前記接着部が形成された枠部を有し、
前記枠部は、前記配線部材が収容された切欠きを有する、
請求項３又は請求項４に記載の電子機器。
【請求項６】
前記制御基板を前記延出部に接着する接着部材をさらに備える、
請求項１〜請求項５のいずれか一項に記載の電子機器。
【発明の詳細な説明】
【技術分野】
【０００１】
本願の開示する技術は、電子機器及びタッチパネルユニットに関する。
【背景技術】
【０００２】
ユーザのタッチ操作に応じた信号を出力するタッチパネルと、このタッチパネルから延びる配線部材とを備えた電子機器がある（例えば、特許文献１参照）。このタッチパネル及び配線部材を備えた従来の電子機器では、タッチパネルの外形縁部から配線部材がタッチパネルの外方に向けて延びており、この配線部材の先端側は、タッチパネルの背面側に折り返されている。
【先行技術文献】
【特許文献】
【０００３】
【特許文献１】特開２０１０−６１０２６号公報
【発明の概要】
【発明が解決しようとする課題】
【０００４】
上記従来の電子機器では、タッチパネルの外形縁部から配線部材がタッチパネルの外方に向けて延びる分、タッチパネル及び配線部材を含む装置の寸法が拡大する。
【０００５】
本願の開示する技術は、一つの側面として、タッチパネル及び配線部材を含む装置を小型化することを目的とする。
【課題を解決するための手段】
【０００６】
上記目的を達成するために、本願の開示する技術に係る電子機器は、タッチパネルと、表示器と、配線部材と、制御基板とを備える。表示器は、タッチパネルの背面と対向して配置され、いずれかの外形縁部が該外形縁部と対応するタッチパネルの外形縁部よりも内側に位置する。配線部材は、タッチパネルの背面からタッチパネルにおける外形縁部の側に延びる延出部と、延出部の先端部から該延出部に対するタッチパネルの背面と反対側に折り返された折返し部とを有する。制御基板は、折返し部に接続され、タッチパネルの外形縁部と表示器の外形縁部との間に配置されている。配線部材は、折返し部に制御基板が接続された状態において、タッチパネルとの接続部を支点としてタッチパネルの背面と離間する方向に可動する。
【発明の効果】
【０００７】
本願の開示する技術によれば、タッチパネル及び配線部材を含む装置を小型化することができる。
【図面の簡単な説明】
【０００８】
【図１】ノート型パーソナルコンピュータの斜視図である。
【図２】背面カバーを除く表示装置の分解斜視図である。
【図３】筐体フレームの背面図である。
【図４Ａ】ＦＰＣを延ばした状態でのタッチパネルの斜視図である。
【図４Ｂ】ＦＰＣを延ばした状態でのＦＰＣ周辺部の拡大図である。
【図４Ｃ】図４Ｂの４Ｃ−４Ｃ線断面図である。
【図５Ａ】ＦＰＣを折り返した状態でのタッチパネルの斜視図である。
【図５Ｂ】ＦＰＣを折り返した状態でのＦＰＣ周辺部の拡大図である。
【図５Ｃ】図５Ｂの５Ｃ−５Ｃ線断面図である。
【図５Ｄ】図５Ｂの５Ｄ−５Ｄ線断面図である。
【図６Ａ】ＦＰＣを持ち上げた状態でのタッチパネルの斜視図である。
【図６Ｂ】ＦＰＣを持ち上げた状態でのＦＰＣ周辺部の拡大図である。
【図６Ｃ】図６Ａの６Ｃ−６Ｃ線断面図である。
【図７Ａ】タッチパネルに筐体フレームを取り付ける過程を示す斜視図である。
【図７Ｂ】タッチパネルに筐体フレームを取り付ける過程でのＦＰＣ周辺部の拡大図である。
【図７Ｃ】図７Ａの７Ｃ−７Ｃ線断面図である。
【図７Ｄ】図７Ａの７Ｄ−７Ｄ線断面図である。
【図８Ａ】タッチパネルに筐体フレームを取り付けた状態を示す斜視図である。
【図８Ｂ】タッチパネルに筐体フレームを取り付けた状態でのＦＰＣ周辺部の拡大図である。
【図８Ｃ】図８Ａの８Ｃ−８Ｃ線断面図である。
【図８Ｄ】図８Ａの８Ｄ−８Ｄ線断面図である。
【図９Ａ】筐体フレームに表示器を取り付けた状態を示す斜視図である。
【図９Ｂ】筐体フレームに表示器を取り付けた状態でのＦＰＣ周辺部の拡大図である。
【図９Ｃ】図９Ａの９Ｃ−９Ｃ線断面図である。
【図１０】ＦＰＣ周辺部の変形例を示す図である。
【発明を実施するための形態】
【０００９】
以下、本願の開示する技術の一実施形態を説明する。
【００１０】
図１に示される本実施形態のノート型パーソナルコンピュータ１０は、「電子機器」の一例であり、本体装置１２と、表示装置１４とを備える。本体装置１２には、キーボード１６やタッチパッド１８等の入力装置が設けられる他に、メイン基板及びバッテリ等が内蔵されている。
【００１１】
表示装置１４は、本体装置１２に開閉可能に取り付けられている。図１において、表示装置１４は、開かれた状態で示されている。各図に示される矢印Ｘ、矢印Ｙ、矢印Ｚは、表示装置１４の横方向、縦方向、厚さ方向をそれぞれ示している。
【００１２】
図２に示されるように、表示装置１４は、タッチパネル２０と、粘着層２２と、筐体フレーム２４と、表示器２６とを備える。図２では、図１に示される表示装置１４における背面カバー２８の図示が省略されている。表示器２６には、例えば、液晶表示器が用いられる。タッチパネル２０及び表示器２６は、矩形平板状に形成されており、筐体フレーム２４は、タッチパネル２０及び表示器２６の矩形形状と対応する矩形枠状に形成されている。
【００１３】
筐体フレーム２４は、粘着層２２を介してタッチパネル２０の背面に固着され、表示器２６は、タッチパネル２０と反対側から筐体フレーム２４に取り付けられる。このタッチパネル２０及び表示器２６を支持する筐体フレーム２４は、上枠部３０と、下枠部３２と、左右一対の縦枠部３４とを有しており、粘着層２２は、筐体フレーム２４の各枠部に対応する複数の粘着材４０，４２，４４を有する。
【００１４】
図３には、各粘着材４０，４２，４４が筐体フレーム２４の各枠部に貼り付けられた状態が示されている。この図３に示されるように、各粘着材４０，４２，４４は、筐体フレーム２４の各枠部に対応して長尺状に形成されている。
【００１５】
図４Ａに示されるように、タッチパネル２０には、制御基板４６が設けられている。制御基板４６は、プリント基板４８と、実装部品群５０と、コネクタ５２とを有する。実装部品群５０には、例えば半導体チップ等の電子部品が含まれる。実装部品群５０及びコネクタ５２は、プリント基板４８に実装されている。
【００１６】
プリント基板４８は、タッチパネル２０の下縁部５４に沿って延びる長尺状に形成されており、実装部品群５０及びコネクタ５２は、プリント基板４８の長手方向に並んで配置されている。コネクタ５２は、タッチパネル２０の下縁部５４が延びる方向（すなわちプリント基板４８の長手方向）を横幅方向として配置されている。
【００１７】
図４Ｂに示されるように、タッチパネル２０の背面５６には、「配線部材」の一例であるフレキシブルプリント基板５８が接続されている。以降、フレキシブルプリント基板５８をＦＰＣ５８（Flexible printed circuits）と略称する。ＦＰＣ５８は、タッチパネル２０の下縁部５４が延びる方向を横幅方向として配置されている。ＦＰＣ５８は、タッチパネル２０の表面に設けられた接触検知用の複数の電極と電気的に接続されている。
【００１８】
図４Ｃに示されるように、ＦＰＣ５８の先端部には、端子部６０が形成されており、この端子部６０は、コネクタ５２に接続されている。ＦＰＣ５８が真っ直ぐに延びた状態では、ＦＰＣ５８の先端部側（端子部６０側）、及び、制御基板４６がタッチパネル２０の下縁部５４から突出する。
【００１９】
ＦＰＣ５８の導通試験では、ＦＰＣ５８が真っ直ぐに延ばされてＦＰＣ５８の先端部側がタッチパネル２０の下縁部５４から突出され、この状態で端子部６０に試験用プローブが接触し、ＦＰＣ５８の導通が試験される。なお、ＦＰＣ５８の端子部６０に制御基板４６が接続された状態で、ＦＰＣ５８の先端部側及び制御基板４６がタッチパネル２０の下縁部５４から突出され、この状態で端子部６０又は制御基板４６に試験用のプローブが接触されても良い。
【００２０】
制御基板４６には、コネクタ５２と反対側に接着部材６２が接着される。接着部材６２は、図４Ｂに示されるように、ＦＰＣ５８と略同じ幅で形成されており、コネクタ５２の裏側に位置する。本実施形態において、タッチパネル２０、制御基板４６、及び、ＦＰＣ５８は、タッチパネルユニット６４を形成している。
【００２１】
図５Ａ〜図５Ｃに示されるように、タッチパネルユニット６４では、ＦＰＣ５８の先端部側が１８０°折り返されることにより、タッチパネル２０の背面側に制御基板４６が配置される。図５Ｃに示されるように、ＦＰＣ５８が折り返されて制御基板４６がタッチパネル２０の背面側に配置された状態において、ＦＰＣ５８は、より具体的には、延出部６６と、折返し部６８とを有する。
【００２２】
つまり、延出部６６は、ＦＰＣ５８のうち、タッチパネル２０の背面５６からタッチパネル２０の下縁部５４の側に延びる部分である。また、折返し部６８は、ＦＰＣ５８のうち、延出部６６の先端部から延出部６６に対するタッチパネル２０の背面５６と反対側に折り返された部分である。延出部６６と折返し部６８との間には、湾曲する折曲部７０が形成され、ＦＰＣ５８は、折り曲げられた状態では全体としてＵ字状を成している。
【００２３】
ＦＰＣ５８におけるタッチパネル２０との接続部７２は、延出部６６の分、タッチパネル２０の下縁部５４よりも内側（タッチパネル２０の縦方向の中央部側）に位置されている。タッチパネル２０の下縁部５４は、「タッチパネルの外形縁部」の一例であり、折返し部６８の先端側には、端子部６０が形成されている。制御基板４６のコネクタ５２に端子部６０が接続された状態において、制御基板４６は、接着部材６２を介して延出部６６に接着される。接着部材６２には、薄手の両面テープでは無くある程度の厚みを有するものが使用される。
【００２４】
図５Ｂに示されるように、ＦＰＣ５８が折り返された状態において、制御基板４６は、タッチパネル２０の下縁部５４に沿って延びる。ＦＰＣ５８は、制御基板４６の長さ方向の一方側に偏って配置されており、制御基板４６は、ＦＰＣ５８に対してタッチパネル２０の下縁部５４が延びる方向に延長された延長部７４を有する。図５Ｄに示されるように、制御基板４６のうちの延長部７４（ＦＰＣ５８の無い部分）とタッチパネル２０の背面５６との間には、上述の接着部材６２及び延出部６６の厚さ分に相当する隙間７６が形成される。
【００２５】
上述のように接着部材６２がＦＰＣ５８と対応する長さで形成されているため、図５Ｄに示されるように、延長部７４は、タッチパネル２０の背面５６に対して非接着とされる。従って、図６Ａ〜図６Ｃに示されるように、ＦＰＣ５８は、折返し部６８に制御基板４６が接続された状態において、タッチパネル２０との接続部７２を支点としてタッチパネル２０の背面５６と離間する方向（矢印Ｒ方向）に可動する。すなわち、ＦＰＣ５８は、タッチパネル２０との接続部７２を支点としてタッチパネル２０の背面５６と離間する方向に持ち上げ可能である。
【００２６】
ＦＰＣ５８がタッチパネル２０との接続部７２を支点として持ち上げられる際には、ＦＰＣ５８が断線しないように、ＦＰＣ５８の折曲部７０の曲率半径が確保される。本実施形態では、ＦＰＣ５８の折曲部７０の曲率半径が確保されるように、プリント基板４８及び接着部材６２の厚さ等が設定されている。
【００２７】
図７Ａ〜図７Ｃに示されるように、筐体フレーム２４は、ＦＰＣ５８がタッチパネル２０との接続部７２を支点として持ち上げられた状態において、タッチパネル２０の背面５６に組み付けられる。
【００２８】
図２に示されるように、筐体フレーム２４の下枠部３２は、タッチパネル２０の下縁部５４に沿って延びている。この筐体フレーム２４の下枠部３２は、「枠部」の一例である。筐体フレーム２４の下枠部３２は、より具体的には、接着部８０及び切欠き８２を有する。接着部８０は、制御基板４６の延長部７４と対応する位置に形成されており、切欠き８２は、接着部８０に隣接し、ＦＰＣ５８と対応する位置に形成されている。図２では、ＦＰＣ５８が折り返された状態で示されている。
【００２９】
図７Ｃに示されるように、筐体フレーム２４がタッチパネル２０に組み付けられる際に、ＦＰＣ５８と対応する位置には、切欠き８２が位置し、この切欠き８２には、ＦＰＣ５８が挿入される。切欠き８２は、ＦＰＣ５８を収容し得る幅及び形状を有する。
【００３０】
また、図７Ｄに示されるように、筐体フレーム２４がタッチパネル２０に組み付けられる際に、制御基板４６の延長部７４と対応する位置には、筐体フレーム２４の下枠部３２に形成された接着部８０が位置する。ＦＰＣ５８がタッチパネル２０との接続部７２を支点として持ち上げられた状態において、接着部８０は、延長部７４と、この延長部７４と対向するタッチパネル２０の下端部７８との間にタッチパネル２０の縦方向の下方側（下縁部５４の側）から挿入される。また、このとき、制御基板４６の延長部７４（図７Ｂも参照）は、接着部８０を乗り越える。
【００３１】
図８Ａ，図８Ｂに示されるように、筐体フレーム２４は、タッチパネル２０の背面５６に重ね合わされて配置される。筐体フレーム２４がタッチパネル２０の背面５６に重ね合わされた状態において、タッチパネル２０との接続部７２を支点として持ち上げられていたＦＰＣ５８は、元の位置に戻される。
【００３２】
図８Ｃに示されるように、ＦＰＣ５８が元の位置に戻された状態において、ＦＰＣ５８は、切欠き８２に収容される。ＦＰＣ５８の延出部６６は、タッチパネル２０の背面５６と接した状態とされるが、本実地形態では、一例として、ＦＰＣ５８の延出部６６は、タッチパネル２０の背面５６とは非接着とされる。
【００３３】
また、図８Ｄに示されるように、ＦＰＣ５８が元の位置に戻された状態において、接着部８０は、延長部７４とタッチパネル２０との間に挿入され、この接着部８０は、粘着材４２（図２も参照）によりタッチパネル２０の背面５６（下端部７８の背面）に接着される。また、延長部７４は、タッチパネル２０の背面５６と反対側から粘着材８４により接着部８０に接着される。
【００３４】
図９Ａ，図９Ｂに示されるように、表示器２６は、タッチパネル２０の背面に対向して配置される。この表示器２６は、タッチパネル２０よりも外形が若干小さく形成されている。図９Ｃに示されるように、表示器２６がタッチパネル２０の背面５６に対向して配置された状態において、表示器２６の下縁部８６は、タッチパネル２０の下縁部５４よりも内側（表示器２６の縦方向の中央部側）に位置する。表示器２６の下縁部８６は、「表示器におけるいずれかの外形縁部」の一例である。
【００３５】
図９Ｃに示されるように、表示器２６がタッチパネル２０の背面５６に対向して配置された状態において、制御基板４６は、タッチパネル２０の下縁部５４と表示器２６の下縁部８６との間８８に配置される。制御基板４６は、タッチパネル２０の下縁部５４と表示器２６の下縁部８６との間８８に配置されるように、タッチパネル２０の縦方向に沿った幅（プリント基板４８の幅）が設定されている。
【００３６】
さらに、表示器２６がタッチパネル２０の背面５６に対向して配置された状態において、制御基板４６は、表示器２６の厚さ方向の範囲９０内に収まる。制御基板４６は、表示器２６の厚さ方向の範囲９０内に収まるように、表示器２６の厚さ方向に沿った厚さ（プリント基板４８の厚さや、実装部品群５０及びコネクタ等の高さ）が設定されている。
【００３７】
次に、本実施形態の作用及び効果について説明する。
【００３８】
本実施形態によれば、タッチパネル２０の背面５６に接続されたＦＰＣ５８は、タッチパネル２０における下縁部５４の側に延びる延出部６６の先端部から該延出部６６に対するタッチパネル２０の背面５６と反対側に折り返された折返し部６８を有する。この折返し部６８には、制御基板４６が接続されており、この制御基板４６は、タッチパネル２０の下縁部５４と表示器２６の下縁部８６との間８８に配置されている。従って、例えば、ＦＰＣ５８及び制御基板４６がタッチパネル２０の下縁部５４から突出する場合に比して、表示装置１４を縦方向に小型化することができる。
【００３９】
しかも、タッチパネル２０の下縁部５４と表示器２６の下縁部８６との間８８に配置された制御基板４６は、表示器２６の厚さ方向の範囲９０内に収まる。従って、表示装置１４を厚さ方向にも小型化することができる。
【００４０】
また、図７Ａ〜図７Ｄに示されるように、ＦＰＣ５８は、折返し部６８に制御基板４６が接続された状態において、タッチパネル２０との接続部７２を支点としてタッチパネル２０の背面５６と離間する方向（矢印Ｒ方向）に可動する。従って、筐体フレーム２４をタッチパネル２０に取り付ける際には、図７Ｄに示されるように、ＦＰＣ５８をタッチパネル２０との接続部７２を支点として持ち上げた状態として、接着部８０を延長部７４とタッチパネル２０の下端部７８との間に挿入できる。これにより、筐体フレーム２４をタッチパネル２０に取り付ける際の作業性、ひいては、表示装置１４の組立性を向上させることができる。
【００４１】
また、図８Ｄに示されるように、延長部７４とタッチパネル２０との間に挿入された接着部８０は、粘着材４２によりタッチパネル２０の背面５６に接着されている。従って、この接着部８０の分、筐体フレーム２４の下枠部３２とタッチパネル２０との貼り付け面積を確保することができる。これにより、筐体フレーム２４の下枠部３２の剛性を確保することができるので、下枠部３２のがたつきを抑制できると共に、下枠部３２が撓んでタッチパネル２０の下縁部５４から離間することを抑制できる。
【００４２】
さらに、制御基板４６の延長部７４は、粘着材８４により接着部８０に接着されるので、制御基板４６のがたつきも抑制することができる。
【００４３】
また、図８Ｃに示されるように、制御基板４６は、接着部材６２により延出部６６に接着される。従って、筐体フレーム２４をタッチパネル２０に取り付ける際に、ＦＰＣ５８の復元力によりＦＰＣ５８が元の形状に戻ろうとすることを抑制することができ、ＦＰＣ５８を折り返した形状に保持することができる。これにより、ＦＰＣ５８を折り返した形状に保持しながらＦＰＣ５８をタッチパネル２０との接続部７２を支点として持ち上げることができるので、筐体フレーム２４をタッチパネル２０に取り付ける際の作業性を向上させることができる。
【００４４】
また、筐体フレーム２４の下枠部３２には、ＦＰＣ５８と対応する位置に切欠き８２が形成されており、この切欠き８２には、ＦＰＣ５８が収容されている。従って、ＦＰＣ５８が狭いスペースで折り返されることを抑制することができるので、ＦＰＣ５８の折曲部７０における曲率半径を大きく確保することができる。これにより、ＦＰＣ５８の断線を抑制することができる。
【００４５】
次に、本実施形態の変形例について説明する。
【００４６】
本実施形態では、「電子機器」の一例として、ノート型パーソナルコンピュータについて説明したが、表示装置１４の上記構造は、ノート型パーソナルコンピュータ以外の電子機器に適用されても良い。つまり、本実施形態における表示装置１４の上記構造は、例えば、携帯電話、スマートフォン、タブレット端末や、その他、タッチパネル及び表示器を有する電子機器に適用されても良い。
【００４７】
また、本実施形態では、「配線部材」の一例として、ＦＰＣ５８が用いられているが、ＦＰＣ以外の配線部材が用いられても良い。
【００４８】
また、ＦＰＣ５８の延出部６６は、「タッチパネルにおける外形縁部」の一例として、タッチパネル２０の下縁部５４の側に延びているが、タッチパネル２０の下縁部５４以外の外形縁部（上縁部、及び、一対の縦縁部のいずれか）の側に延びていても良い。また、制御基板４６も、タッチパネル２０におけるいずれかの外形縁部と、該外形縁部と対応する表示器２６の外形縁部との間に配置されても良い。
【００４９】
また、図９Ｃに示されるように、制御基板４６は、より好ましくは、その全体が表示器２６の厚さ方向の範囲９０内に収まる。しかしながら、制御基板４６の上部よりも下側の部分が、表示器２６の厚さ方向の範囲９０内に収まり、制御基板４６の上部は、表示器２６の厚さ方向の範囲９０からはみ出していても良い。
【００５０】
また、本実施形態において、筐体フレーム２４の下枠部３２には、好ましくは、ＦＰＣ５８と対応する位置に切欠き８２（図８Ｃ参照）が形成される。しかしながら、図１０に示されるように、下枠部３２から切欠きが省かれても良い。そして、コネクタ５２の裏側においても、制御基板４６とタッチパネル２０との間に下枠部３２の接着部８０が挿入されても良い。このように構成されていると、下枠部３２から切欠きが省かれた分、下枠部３２とタッチパネル２０との貼り付け面積を増加させることができる。
【００５１】
また、本実施形態において、タッチパネル２０及び表示器２６は、矩形状に形成されているが、例えば円形や楕円形など矩形状以外の形状で形成されていても良い。
【００５２】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００５３】
なお、上述の本願の開示する技術の一実施形態に関し、更に以下の付記を開示する。
【００５４】
（付記１）
タッチパネルと、
前記タッチパネルの背面と対向して配置され、いずれかの外形縁部が該外形縁部と対応する前記タッチパネルの外形縁部よりも内側に位置する表示器と、
前記タッチパネルの背面から前記タッチパネルにおける前記外形縁部の側に延びる延出部と、前記延出部の先端部から該延出部に対する前記タッチパネルの背面と反対側に折り返された折返し部とを有する配線部材と、
前記折返し部に接続され、前記タッチパネルの前記外形縁部と前記表示器の前記外形縁部との間に配置された制御基板と、
を備える電子機器。
（付記２）
前記制御基板は、前記表示器の厚さ方向の範囲内に収まる、
付記１に記載の電子機器。
（付記３）
前記タッチパネルの前記外形縁部、及び、前記表示器の前記外形縁部は、それぞれ前記タッチパネルの下縁部、及び、前記表示器の下縁部である、
付記１又は付記２に記載の電子機器。
（付記４）
前記配線部材は、前記タッチパネルの前記外形縁部が延びる方向を横幅方向とするフレキシブルプリント基板である、
付記１〜付記３のいずれか一項に記載の電子機器。
（付記５）
前記制御基板は、前記配線部材に対して前記タッチパネルの前記外形縁部が延びる方向に延長された延長部を有し、
前記配線部材は、前記折返し部に前記制御基板が接続された状態において、前記タッチパネルとの接続部を支点として前記タッチパネルの背面と離間する方向に可動する、
付記１〜付記４のいずれか一項に記載の電子機器。
（付記６）
前記タッチパネル及び前記表示器を支持する筐体フレームをさらに備え、
前記筐体フレームは、前記延長部と前記タッチパネルとの間に挿入されて前記タッチパネルの背面に接着された接着部を有する、
付記５に記載の電子機器。
（付記７）
前記延長部は、前記タッチパネルの背面に対して非接着である、
付記６に記載の電子機器。
（付記８）
前記延長部は、前記接着部に接着されている、
付記６又は付記７に記載の電子機器。
（付記９）
前記筐体フレームは、前記タッチパネルの前記外形縁部に沿って延びると共に前記接着部が形成された枠部を有し、
前記枠部は、前記配線部材が収容された切欠きを有する、
付記６〜付記８のいずれか一項に記載の電子機器。
（付記１０）
前記制御基板を前記延出部に接着する接着部材をさらに備える、
付記１〜付記９のいずれか一項に記載の電子機器。
（付記１１）
タッチパネルと、
前記タッチパネルの背面から前記タッチパネルにおけるいずれかの外形縁部の側に延びる延出部と、前記延出部の先端部から該延出部に対する前記タッチパネルの背面と反対側に折り返され、先端部に端子部が形成された折返し部とを有する配線部材と、
を備えるタッチパネルユニット。
（付記１２）
前記配線部材は、前記外形縁部が延びる方向を横幅方向とするフレキシブルプリント基板であり、前記タッチパネルとの接続部を支点として前記タッチパネルの背面と離間する方向に可動する、
付記１１に記載のタッチパネルユニット。
【符号の説明】
【００５５】
１０  ノート型パーソナルコンピュータ（電子機器の一例）
１４  表示装置
２０  タッチパネル
２４  筐体フレーム
２６  表示器
３２  下枠部（筐体フレームの枠部の一例）
４２  粘着材
４６  制御基板
５４  下縁部（タッチパネルの外形縁部の一例）
５６  背面
５８  フレキシブルプリント基板／ＦＰＣ（配線部材の一例）
６０  端子部
６２  接着部材
６４  タッチパネルユニット
６６  延出部
６８  折返し部
７２  接続部
７４  延長部
８６  下縁部（表示器の外形縁部の一例）
【図１】
0006432111.tif 000002
【図２】
0006432111.tif 000003
【図３】
0006432111.tif 000004
【図４Ａ】
0006432111.tif 000005
【図４Ｂ】
0006432111.tif 000006
【図４Ｃ】
0006432111.tif 000007
【図５Ａ】
0006432111.tif 000008
【図５Ｂ】
0006432111.tif 000009
【図５Ｃ】
0006432111.tif 000010
【図５Ｄ】
0006432111.tif 000011
【図６Ａ】
0006432111.tif 000012
【図６Ｂ】
0006432111.tif 000013
【図６Ｃ】
0006432111.tif 000014
【図７Ａ】
0006432111.tif 000015
【図７Ｂ】
0006432111.tif 000016
【図７Ｃ】
0006432111.tif 000017
【図７Ｄ】
0006432111.tif 000018
【図８Ａ】
0006432111.tif 000019
【図８Ｂ】
0006432111.tif 000020
【図８Ｃ】
0006432111.tif 000021
【図８Ｄ】
0006432111.tif 000022
【図９Ａ】
0006432111.tif 000023
【図９Ｂ】
0006432111.tif 000024
【図９Ｃ】
0006432111.tif 000025
【図１０】
0006432111.tif 000026